(57)【要約】【課題】操作ノブをわずかに操作するだけで、ラッチを大きく回動させ、確実に作動させることができるとともに、装置全体を著しく薄型化できるようにした構造が簡単な引戸ラッチ装置を提供する。【解決手段】薄形のケース２と、中間部に空所８ａを形成する１対の軸部８、８をもって、ケース内に回動可能に軸支されるとともに、ラッチ爪９をケースの側方に突出させたラッチ３と、ラッチを係止方向に付勢する板ばね１０と、ラッチの軸部と平行をなす軸をもって、ケース内に回動可能に軸支され、かつ軸から直交する方向に延出するアーム１４が、ラッチの両軸部間の空所８ａに嵌合され、かつアームの先端が、ラッチにおける両軸部とラッチ爪との間の中間部分に係合するようにした操作軸１２と、この操作軸と一体に設けたラッチ解除用の操作ノブ１３とを備えるものとする。【選択図】        図８
2008095444.tif 000002
【特許請求の範囲】
【請求項１】
引戸の端部に設けた開口に嵌着した薄形のケースと、中間部に空所を形成するようにして同一軸線上に配設された１対の軸部をもって、前記ケース内に回動可能に軸支されるとともに、ラッチ爪をケースの側方に突出させたラッチと、ラッチ爪が常時係止方向に付勢されるように、前記ラッチを付勢する付勢手段と、前記ラッチから離間して、ラッチの軸部と平行をなす軸をもって、前記ケース内に回動可能に軸支され、かつ前記軸から直交する方向に延出するアームが、前記ラッチの両軸部間の空所を横断して配置され、かつ前記アームの先端が、前記ラッチにおける両軸部とラッチ爪との間の中間部分に係合するようにした操作軸と、この操作軸と一体に設けられ、かつ前記ケースの前面に設けた孔を通って、ケースの外方に突出するラッチ解除用の操作ノブとを備えることを特徴とする引戸ラッチ装置。
【請求項２】
付勢手段が、ラッチの側面に突設した弾性舌片状の板ばねからなり、この板ばねを、ケースの一側部に突設した取付板の板面に圧接することにより、ラッチ爪を係止方向に付勢するようにしたことを特徴とする請求項１記載の引戸ラッチ装置。
【請求項３】
引戸を構成する前面パネルの背面に、ケースの厚さ分だけ離間させて背面パネルを設け、背面パネルには、ケースの外形より若干大きめの開口を設け、前記ケースの一側部に突設した１対の取付板の先端部を、前記背面パネルの前面に当接し、かつ前記ケースの他側部に突設した弾性係止爪を、前記背面パネルの開口縁の前面側に弾性係合させることにより、ケースを両パネル間に保持させたことを特徴とする請求項１または２記載の引戸ラッチ装置。
【請求項４】
弾性係止爪を、ケースの側面より背面パネルと平行をなして斜め外側方に延出するように設けるとともに、弾性係止爪の外側面に、ケースの側面より延出する延出方向と、背面パネルの開口に嵌合する嵌合方向との２方向に対して傾斜する傾斜面と、この傾斜面とほぼ連なるように形成された係止段部とを備えるものとし、前記係止段部を、背面パネルの開口の縁部に係止させたことを特徴とする請求項３記載の引戸ラッチ装置。
【請求項５】
取付板の先端及び弾性係止爪の基部に、前方に突出し、ケースの取付状態で、前面パネルの裏面に当接するストッパ部を設けた請求項３または４記載の引戸ラッチ装置。
【発明の詳細な説明】
【技術分野】
【０００１】
本発明は、引戸の閉止端部の前面に設けた開口に取付けられる、構造が簡単、かつ薄形化が可能な引戸ラッチ装置に関する。
【背景技術】
【０００２】
キャビネットなどに用いる引戸において、開いている引戸を勢いよく閉じた場合、キャビネットの戸当りに衝突した際の反動で、引戸が跳ね返され、甚だしい場合には、反対側の引戸もその衝撃で開くことがある。
【０００３】
このような不具合を防止するため、従来の引戸には、引戸の端部内側に設けたラッチ(係止板)を、キャビネットの戸当り部に設けた係止爪に係合させることにより、引戸を閉止位置に拘束するとともに、引戸の表側に設けた操作板の手掛け片を引くことにより、ラッチを係止爪から離脱させて、引戸を開けることができるようにした、ラッチ装置を設けたものがある(例えば特許文献１参照)。
【特許文献１】特開平８−１８９２４２号公報
【発明の開示】
【発明が解決しようとする課題】
【０００４】
しかし、上述のような従来の構造では、ラッチが引戸の内方に大きく突出して、キャビネット側に設けた係止爪に係合するようになっているので、装置そのものの構造が複雑で、かつ大型化するとともに、部品数が多く、組立が面倒である。また特に、キャビネット側の係止爪に、ラッチの先端部に形成した係合孔を係合させる必要上ラッチと係止爪とを、閉扉状態で精度良く一致させなければならず、位置決め作業が面倒である。
【０００５】
本発明は、従来の技術が有する上記のような問題点に鑑み、操作ノブをわずかに操作するだけで、ラッチを大きく回動させ、確実に作動させることができるとともに、装置全体を著しく薄型化できるようにした構造が簡単な引戸ラッチ装置を提供することを目的としている。
【課題を解決するための手段】
【０００６】
本発明によると、上記課題は次のようにして解決される。  
（１）引戸の端部に設けた開口に嵌着した薄形のケースと、中間部に空所を形成するようにして同一軸線上に配設された１対の軸部をもって、前記ケース内に回動可能に軸支されるとともに、ラッチ爪をケースの側方に突出させたラッチと、ラッチ爪が常時係止方向に付勢されるように、前記ラッチを付勢する付勢手段と、前記ラッチから離間して、ラッチの軸部と平行をなす軸をもって、前記ケース内に回動可能に軸支され、かつ前記軸から直交する方向に延出するアームが、前記ラッチの両軸部間の空所を横断して配置され、かつ前記アームの先端が、前記ラッチにおける両軸部とラッチ爪との間の中間部分に係合するようにした操作軸と、この操作軸と一体に設けられ、かつ前記ケースの前面に設けた孔を通って、ケースの外方に突出するラッチ解除用の操作ノブとを備えるものとする。
【０００７】
（２）上記(１)項において、付勢手段が、ラッチの側面に突設した弾性舌片状の板ばねからなり、この板ばねを、ケースの一側部に突設した取付板の板面に圧接することにより、ラッチ爪を係止方向に付勢するようにする。
【０００８】
（３）上記(１)または(２)項において、引戸を構成する前面パネルの背面に、ケースの厚さ分だけ離間させて背面パネルを設け、背面パネルには、ケースの外形より若干大きめの開口を設け、前記ケースの一側部に突設した１対の取付板の先端部を、前記背面パネルの前面に当接し、かつ前記ケースの他側部に突設した弾性係止爪を、前記背面パネルの開口縁の前面側に弾性係合させることにより、ケースを両パネル間に保持させる。
【０００９】
（４）上記(３)項において、弾性係止爪を、ケースの側面より背面パネルと平行をなして斜め外側方に延出するように設けるとともに、弾性係止爪の外側面に、ケースの側面より延出する延出方向と、背面パネルの開口に嵌合する嵌合方向との２方向に対して傾斜する傾斜面と、この傾斜面とほぼ連なるように形成された係止段部とを備えるものとし、前記係止段部を、背面パネルの開口の縁部に係止させる。
【００１０】
（５）上記(３)または(４)項において、取付板の先端及び弾性係止爪の基部に、前方に突出し、ケースの取付状態で、前面パネルの裏面に当接するストッパ部を設ける。
【発明の効果】
【００１１】
請求項１の発明によれば、操作軸から延出するアームの先端を、ラッチにおける両軸部とラッチ爪との間の中間部分に係合させてあるので、操作ノブをわずかに操作するだけで、ラッチを大きく回動させ、確実に作動させることができ、また、操作軸のアームが、ラッチにおける両軸部間の空所に位置して、ラッチの板厚内に納まるので、装置全体を著しく薄型化でき、しかも構造が簡単で、部品点数が少なく、容易に製造することができる。
また、操作ノブとラッチとが分離されているので、引戸の閉止操作時に、ラッチが戸当たり側のラッチ孔に係合する直前におけるラッチの解錠方向への回動が、操作ノブに伝達されることがなく、操作ノブとラッチとが一体化されているもののように、操作ノブがラッチとともに回動することがなく、操作性がよい。
【００１２】
請求項２の発明によれば、付勢手段も、ラッチと一体的に形成できるので、さらに部品点数を減少することができる。
【００１３】
請求項３の発明によれば、引戸に対する組付けをワンタッチで行うことができる。
【００１４】
請求項４の発明によれば、引戸の前面パネルと背面パネルとの空間が狭くても、装置を確実に取付けることができる。
【００１５】
請求項５の発明によれば、装置の取付け状態において、ケースを、引戸の前面パネルと背面パネルとの間に挟んで、確実、かつ強固に保持することができる。
【発明を実施するための最良の形態】
【００１６】
以下、本発明の最良の実施形態を、添付図面を参照して説明する。  
図１〜図４に示すように、このラッチ装置１は、合成樹脂製の成形体からなる平面視長方形のケース２と、ケース２の長手方向一側部より突出するラッチ３と、ラッチ３に連繋する操作部４との、わずか３つの部品から構成されている。
【００１７】
ケース２は、底部開口した長方形かつ扁平薄形のもので、その長手方向一側部には左右１対の取付板５が突設され、他側部中央には、取付基部６が突設され、この取付基部６の左右には、ケース２の側面の長手方向に対して斜め外側方に延出する左右１対の弾性係止爪７が設けられている。
【００１８】
ラッチ３は、中間部に空所８ａを形成するように互いに離間し、かつケース２内に回動可能に軸支される左右１対の軸部８、８と、両軸部８、８と一体化され、かつケース２の長手方向一側部外方に突出するラッチ爪９と、ラッチ爪９と軸部８との連結部分よりケース２の長手方向外向き、かつ上方に向けて湾曲する付勢手段をなす板ばね１０とを備えている。
【００１９】
操作部材４は、ラッチ３から離間して、ラッチ３の軸部８、８と平行をなすとともに、ケース２の長手方向の両端部中央に穿設された軸孔１１に両端部が嵌合されて軸支された操作軸１２と、操作軸１２の外周上部に突設された引手兼用の操作ノブ１３と、操作軸１２の外周一側部に一体に設けられ、かつラッチ３と連動するアーム１４とを備えている。操作ノブ１３は、ケース２の上面中央に設けた横長の長孔１５を通じて、ケース２の上面に突出している。
【００２０】
アーム１４は、ラッチ３における両軸部８、８間の空所８ａに嵌合され、アーム１４の先端部に一体的に形成された連繋軸１６は、図３に示すように、ラッチ３の下面に形成された凹溝９ａに嵌合されている。また、操作軸１２の外周他側部には、ケース２の内面に当接して操作軸１２及びラッチ爪１０の回動規制を行うストッパ１７が突設されている。
【００２１】
取付板５は、ラッチ３の板ばね１０を下面側で受けるばね受け部５ａと、ばね受け５ａの先端下部に鉤状断面をなして突設された支点部５ｂを備え、支点部５ｂの上部側及び取付基部６の上部には、後述する引戸の裏面に当接するストッパ部５ｃ，６ａが突設されている。
【００２２】
弾性係止爪７は、図４に拡大して示すように、取付基部６の端部よりケース２の側面に対して所定距離ｄだけ離間して、斜め外側方に延出するものであって、この距離ｄに応じた弾性撓曲代を与えている。
【００２３】
この弾性係止爪７の外側面は、取付基部６との接合部より、ケース２の長手方向に離れるに従って、ケース２の側面から漸次離間するように傾斜している。この弾性係止爪７の外側面には、図４に示す下縁から上方に向かうに従って、ケース２の側面から漸次離間するように傾斜するとともに、弾性係止爪７の外側面に対して、図４における下向きに傾斜する、すなわち、ケース２を、取り付けようとするパネルの開口に嵌合する嵌合方向(図４における下方)と、弾性係止爪７の外側面の延出方向との２方向に傾斜する傾斜面７ａと、この傾斜面７ａとほぼ連なるように、弾性係止爪７の外側面中位部に設けられた平面視楔状の三角形の係止段部７ｂとを備えており、傾斜面７ａの後述するパネルの開口縁との接触長さは、三角形の係止段部７ｂの底辺に相当する長さとなっており、これにより、噛み合い代や嵌合深さが小さい場合であっても、十分な接触長さが得られる。
【００２４】
また、弾性係止爪７の先端に近づくほど、噛み合い代が大となるので、取付け時における弾性係止爪７の弾性変形量を少なくすることができ(弾性係止爪７の基部を大きく弾性変形させる必要がない)、開口への挿入が容易になるとともに、弾性係止爪７が背面パネル２２の開口縁部に係止された後は、弾性係止爪７が背面パネル２２の開口縁部から外れにくくなる。
【００２５】
図５は、以上のラッチ装置１の引戸に対する取付箇所を示している。図５において、引戸２０は、前面パネル２１と、前面パネル２１の背面にケース２の厚さ分だけ離間するようにして、スポット溶接などにより一体化された背面パネル２２とを備えており、前面パネル２１の取付位置には、ケース２の外形とほぼ等しい縦長の長方形の開口２３が形成され、かつこの開口２３の内縁には、内方を向く折返し片２３ａが形成されている。
【００２６】
これに対し、背面パネル２２に設けた開口２４は、ケース２の両側面間の間隔より若干幅広の寸法に形成されているとともに、側縁側の中央には、開口２４に連続してラッチ爪９の形状に応じた台形状のラッチ爪受入用切欠き２４ａが形成されている。
【００２７】
次に上記のラッチ装置１の引戸２０に対する取付手順を、図６を用いて説明する。まず図６(ａ)に示すように、支点部５ｂを、パネル２２の開口２４の内側縁部に位置させた状態で、支点部５ｂを基点として、ケース２を矢印方向に回動させる。
【００２８】
回動操作により、図６(ｂ)に示すように弾性係止爪７の傾斜面７ａが開口２４の他端側縁部に摺接することにより、距離ｄを縮めつつ弾性撓曲し、嵌合最終段階では、図６(ｃ)に示すように、係止段部７ｂが開口２４の縁部に弾発的に係合することにより、弾性係止爪７は弾性復帰し、組付けが完了する。
【００２９】
組付け完了状態では、ケース２の前部周縁が、前面パネル２１の折返し片２３ａの内側に位置し、この状態では、ケース２の両側において、前方を向くストッパ部５ｃ，６ａの先端が前面パネル２１の内面に当接することにより、ケース２２は、パネル２１、２２間に狭まれた状態で、強固に保持される。
【００３０】
図７は、組付け状態におけるラッチ装置１を、引戸２０の前面パネル２１側から見た状態を示すものであり、ケース２外周が開口２３の内側に位置し、操作ノブ１３のみがケース２の前面に突出しているだけであるため、外観上極めてシンプルな仕上りとなる。
【００３１】
図８は、以上のラッチ装置１を備えた引戸２０とキャビネットとの戸当り部分との構成を示し、キャビネット３０の戸当り部分には、側面板を構成する外装パネル３１の内側に所定の隙間を設けてインナーパネル３２が一体的に溶接により固着されており、また引戸２０により開閉されるキャビネット３０の開口における上下部には、引戸２０をスライド可能に支持するレール３３が設けられている。
【００３２】
インナーパネル３２の戸当り部には、凹部３２ａが設けられ、この凹部３２ａ内に、引戸２０の側端部が引込まれるようになっており、この凹部３２ａにおける閉扉時にラッチ爪９と対向する面には、ラッチ孔３２ｂが設けられている。
【００３３】
図８(ａ)に示すように、開扉状態の引戸２０が、矢印で示す閉扉方向に勢いよく移動させられると、引戸２０の先端部内側におけるラッチ爪９が、凹部３２ａの角部に摺接して、軸部８を基点として、板ばね１０の付勢力に抗して、図８(ａ)及び(ｂ)における時計回り方向である係止解除方向に回動させられ、引戸２０は凹部３２ａの奥部に衝突する。
【００３４】
その衝突の反動で、引戸２０は、開扉方向に戻ろうとするが、この段階までに、ラッチ爪９が、図８(ｂ)に示すように、ラッチ孔３２ｂに嵌合して、元の係止位置に回動させられ、ラッチ孔３２ｂの縁に係合しているので、引戸２０は、閉止位置に拘束され、引戸２０の跳ね返りが防止される。
【００３５】
閉止状態の引戸２０を開くには、図８(ｃ)に示すように、手で操作ノブ１３を、引戸２０を開く方向に引く。すると、ラッチ爪９が、板ばね１０の付勢力に抗して、図８(ｃ)に想像線で示すように、係止解除方向に回動させられ、ラッチ孔３２ｂから離脱して、引戸２０の拘束が解かれ、その後は、操作ノブ１３を引手として、そのままの状態で、引戸２０を所望の位置まで開くことができる。
【００３６】
以上から明らかなように、この実施形態においては、操作軸１２を、ラッチ３から離間して、ラッチ３の軸部８、８と平行をなすようにして、ケース２内に回動可能に軸支するとともに、操作軸１２から延出するアーム１４の先端を、ラッチ３における両軸部８、８とラッチ爪９との間の中間部分に係合させてあるので、操作ノブ１３をわずかに操作するだけで、ラッチ３を大きく回動させ、確実に作動させることができ、また、操作軸１２のアーム１４が、ラッチ３における両軸部８、８間の空所８ａに位置して、ラッチ３の板厚内に納まるので、装置全体を著しく薄型化でき、しかも構造が簡単で、部品点数が少なく、容易に製造することができる。
【図面の簡単な説明】
【００３７】
【図１】本発明における薄形物品の一例であるラッチ装置の分解斜視図である。
【図２】同ラッチ装置の組立状態を表側から見た斜視図である。
【図３】同ラッチ装置の組立状態を裏側から見た斜視図である。
【図４】図３におけるＩＶ部の拡大斜視図である。
【図５】同ラッチ装置と引戸との関係を背面側から見た斜視図である。
【図６】(ａ)〜(ｃ)は、ラッチ装置の引戸に対する組付け手順を示す横断面説明図である。
【図７】同ラッチ装置の組付け完成状態を正面側から見た斜視図である。
【図８】(ａ)〜(ｃ)は、キャビネットに対する引戸の開閉状態を示す横断面説明図である。
【符号の説明】
【００３８】
１  ラッチ装置
２  ケース
３  ラッチ
４  操作部
５  取付板
５ａばね受け
５ｂ支点部
５ｃストッパ部
６  取付基部
６ａストッパ部
７  弾性係止爪
７ａ傾斜面
７ｂ係止段部
８  軸部
８ａ空所
９  ラッチ爪
９ａ凹入溝
１０  板ばね(付勢手段)
１１  軸孔
１２  操作軸
１３  操作ノブ
１４  アーム
１５  長孔
１６  連繋軸
１７  ストッパ
２０  引戸
２１  前面パネル
２２  背面パネル
２３  開口
２３ａ折返し片
２４  開口
２４ａラッチ片受入用切欠き
３０  キャビネット
３１  外装パネル
３２  インナーパネル
３２ａ凹部
３２ｂラッチ孔
３３  レール
【図１】
2008095444.tif 000003
【図２】
2008095444.tif 000004
【図３】
2008095444.tif 000005
【図４】
2008095444.tif 000006
【図５】
2008095444.tif 000007
【図６】
2008095444.tif 000008
【図７】
2008095444.tif 000009
【図８】
2008095444.tif 000010